(57)【特許請求の範囲】
【請求項１】
浴室の天井パネルか壁パネル上部に設置された中高音再生用のスピーカと、浴室のカウンターの正面壁と上面壁及び壁パネルで形成される空間内か、バスタブの洗い場側の壁面とバスタブエプロンとで形成される空間内に設置された低音再生用のスーパーウーハとを備え、前記空間を音響空間として使用できるように構成したことを特徴とする浴室の音響再生装置。
【請求項２】
前記バスタブエプロンかカウンター壁面に、前記バスタブエプロン内またはカウンター内と洗い場とを連通する開口部を設けたことを特徴とする請求項１記載の浴室の音響再生装置。
【請求項３】
前記スピーカ及びスーパーウーハが防水処理構造を有することを特徴とする請求項１または２記載の浴室の音響再生装置。
【請求項４】
前記開口部は、バスタブエプロンかカウンターの浴室の壁パネル寄りに設けられていることを特徴とする請求項１ないし３のいずれかに記載の浴室の音響再生装置。
【請求項５】
前記低音再生用のスーパーウーハを浴室の壁パネルに取り付けたことを特徴とする請求項１ないし４のいずれかに記載の浴室の音響再生装置。
【発明の詳細な説明】
【０００１】
【発明の属する技術分野】
本発明は、例えばユニットバスルーム等の浴室の音響再生装置に係わり、特に、低音から高音まで高音質が得られる浴室の音響再生装置に関する。
【０００２】
【従来の技術】
従来、ユニットバスルーム等の浴室の音響再生装置としては、例えば実開平６−５８０５７号公報あるいは特開平３−１５４２３号公報に開示されている。前者（実開平６−５８０５７号公報）の音響再生装置は、浴室用スピーカを浴室天井または壁面部に設置し、これに接続する音響アンプを浴室の天井裏に配置すると共に、この音響アンプを浴室用照明器具のスイッチと連動させてオン・オフさせるように構成したものである。
【０００３】
また、後者（特開平３−１５４２３号公報）の音響再生装置は、皿状のフレームに固定したボイスコイルやマグネット及びヨークによって音響ユニットを形成し、この音響ユニットのフレームの周囲をバスタブ壁面に密着させて固定し、音響ユニットでバスタブ自体を発音体として振動させて音を再生するように構成したものである。
【０００４】
【発明が解決しようとする課題】
しかしながら、前者の音響再生装置においては、比較的小型の一つのスピーカを浴室の水平な天井や垂直な壁面に単に取り付け、このスピーカで低音から高音までの全周波数帯域の音を再生する構造であるため、浴室内における低音の再生が不十分で、例えば音楽を鑑賞する際に、良好な音響特性が得られ難いという問題点があった。
【０００５】
この点、後者の音響再生装置は、音響ユニットをバスタブ壁面に取り付け、この音響ユニットで人間が視聴できる周波数帯の音を、振動板としての一つの大きなバスタブ壁面で再生する方式であるため、低音は比較的良好に再生されるものの、音響ユニットがバスタブ壁面に直接取り付けられていることから、バスタブ壁面の振動によって、機械的な振動が入浴者に伝わり易く、入浴者が不快感を伴う場合があるという問題点があった。
【０００６】
本発明は、このような事情に鑑みてなされたもので、請求項１記載の発明の目的は、スピーカの壁パネル等への設置とスーパーウーハの浴室洗い場側の最適空間内への設置により、浴室内に不快感のない良好な音響特性が得られる浴室の音響再生装置を提供することにある。また、請求項２記載の発明の目的は、請求項１記載の発明の目的に加え、低音をより良好に再生し得る浴室の音響再生装置を提供し、請求項３記載の発明の目的は、請求項１または２記載の発明の目的に加え、スピーカやスーパーウーハの耐水性を向上させ得る浴室の音響再生装置を提供することにある。また、請求項４記載の発明の目的は、請求項１ないし３記載の発明の目的に加え、低音を効果的に再生してより良好な音響特性が得られると共に、空間内への水の浸入を抑制し得る浴室の音響再生装置を提供し、請求項５記載の発明の目的は、請求項１ないし４記載の発明の目的に加え、スーパーウーハの取付構造を簡略化して施工の容易化を図り得る浴室の音響再生装置を提供することにある。
【０００７】
【課題を解決するための手段】
かかる目的を達成すべく、本発明のうち請求項１記載の発明は、浴室の天井パネルか壁パネル上部に設置された中高音再生用のスピーカと、浴室のカウンターの正面壁と上面壁及び壁パネルで形成される空間内か、バスタブの洗い場側の壁面とバスタブエプロンとで形成される空間内に設置された低音再生用のスーパーウーハとを備え、前記空間を音響空間として使用できるように構成したことを特徴とする。
【０００８】
このように構成することにより、音楽等の低音は、低音再生専用のスーパーウーハに供給されて再生され、この低音は、浴室のカウンターの正面壁と上面壁及び壁パネルで形成される空間やバスタブの洗い場側の壁面とバスタブエプロンとで形成される空間を音響空間として、バスタブエプロンやカウンター壁面から浴室内の洗い場上に伝搬され、また中高音は、天井パネルか壁パネル上部に設置されたスピーカで再生されて浴室内に伝搬される。これにより、低音から高音まで音が高音質で再生されて、浴室内に機械的振動等による不快感のない良好な音響特性が得られる。
【０００９】
また、請求項２記載の発明は、バスタブエプロンかカウンター壁面に、バスタブエプロン内またはカウンター内と洗い場とを連通する開口部を設けることを特徴とする。このように構成することにより、スーパーウーハで再生される低音が開口部を介して洗い場内に伝搬されることから、浴室内における低音の再生がより良好となる。
【００１０】
また、請求項３記載の発明は、スピーカ及びスーパーウーハが防水処理構造を有することを特徴とする。このように構成することにより、直接付着する水滴や開口部から浸入する水分等に対して、防水処理構造によってスピーカやスーパーウーハの耐水性が向上し、これらの長期に亘る安定した使用が可能になる。
【００１１】
また、請求項４記載の発明は、開口部が、バスタブエプロンかカウンターの浴室の壁パネル寄りに設けられていることを特徴とする。このように構成することにより、開口部から伝搬される低音を例えば壁パネルで反射させることができることから、より臨場感のある低音が得られると共に、洗い場で使用される水の開口部を介した空間内への浸入が抑制され、例えばスーパーウーハへの水の付着が防止される。
【００１２】
また、請求項５記載の発明は、低音再生用のスーパーウーハを浴室の壁パネルに取り付けたことを特徴とする。このように構成することにより、スーパーウーハが浴室の壁パネルに直接取り付けられることから、スピーカ取付用の関連部材を節約できる等、取付構造が簡略化されて施工の容易化が図れる。
【００１３】
【発明の実施の形態】
以下、本発明の実施の形態を図面に基づいて詳細に説明する。
図１〜図３は、本発明に係わる音響再生装置をユニットバスルームに適用した場合の一実施例を示し、図１がその内部の概略斜視図、図２がその要部を拡大した横断面図、図３がその縦断面図である。
【００１４】
図１において、ユニットバスルーム１（バスルーム１という）は、防水パン２と、４枚の壁パネル３ａ〜３ｄ（壁パネル３ｄは図示せず）と、例えばドーム型の天井パネル４によって箱状に形成されている。防水パン２上には、壁パネル３ａ側にバスタブ５が配置されると共に、壁パネル３ｃ側に洗い場６が設けられ、また、洗い場６の壁パネル３ｂ側には洗面器置き用のカウンター７が配置されている。
【００１５】
そして、壁パネル３ｂの天井パネル４側の上部左右両側には、所定の振動板（図示せず）を有する小型スピーカ８ａ、８ｂが設置されている。この小型スピーカ８ａ、８ｂは、振動板として樹脂製のコーン紙を使用すること等により防水構造とされ、中音から高音までの音を再生する。なお、この小型スピーカ８ａ、８ｂは、例えばインピーダンスが８Ωで、再生周波数帯域が１００〜２５０００Ｈｚ、好ましく１００〜２００００Ｈｚのものが使用される。
【００１６】
また、小型スピーカ８ａ、８ｂの設置位置としては、壁パネル３ｂに限らず、例えば図１の二点鎖線ａで示すように対向する壁パネル３ａ、３ｃに設置したり、二点鎖線ｂで示すように天井パネル４の壁パネル３ｂ側の左右両側、あるいは二点鎖線ｃで示すようにドーム型の天井パネル４の左右の側壁部４ａ、４ｂに設置することもできる。
【００１７】
また、前記カウンター７内には、スーパーウーハ９が設置されている。このスーパーウーハ９は、図２及び図３に示すように、バッフル板１０ａを有する所定容積のスピーカボックス１０に取り付けられ、このスピーカボックス１０が、固定具１１を介してカウンター７内の防水パン２上にネジもしくは接着剤等で固定されている。これにより、スーパーウーハ９がカウンター７の正面壁７ａと上面壁７ｂ及び壁パネル３ｂ、３ｃ等で形成される略密閉状態の空間１２内に、スピーカボックス１０を介して設置されている。なお、スーパーウーハ９としては、例えばインピーダンスが８Ωで、再生周波数帯域が２５〜１２５Ｈｚのものが使用される。
【００１８】
そして、カウンター７の正面壁７ａには、スピーカボックス１０に対応して開口部１３が設けられている。この開口部１３は、正面壁７ａの例えば壁パネル３ｃ寄りに上下方向の長孔で形成され、この開口部１３により、後述する如くスーパーウーハ９で再生される低音が洗い場６内に良好に伝搬される。なお、スーパーウーハ９も、小型スピーカ８ａ、８ｂと同様に、例えば樹脂製のコーン紙を使用することによって防水構造とされているが、この防水構造としては、例えばスピーカボックス１０自体を防水構造としたり、開口部１３を一方向通気性の防水シートで覆ってスーパーウーハ９を間接的に防水構造とする等、他の適宜の防水構造を採用できる。
【００１９】
前記小型スピーカ８ａ、８ｂ及びスーパーウーハ９は、図１に示すように、バスルーム１外に配置されたアンプ１４の出力端子にそれぞれ接続されている。このアンプ１４には、図示しないＣＤプレーヤ、カセットデッキ、各種チューナ等の音響機器が接続されると共に、例えば壁パネル３ａに取り付けた操作盤１５が接続されており、この操作盤１５をバスルーム１内で操作することによって、音響機器が有線もしくは無線で制御される。
【００２０】
このバスルーム１によれば、例えば操作盤１５に設けた図示しない電源スイッチや操作釦を操作することによって、ＣＤプレーヤやカセットデッキ等の音楽を、小型スピーカ８ａ、８ｂとスーパーウーハ９で再生させてバスルーム１内で視聴することができる。この時、音楽の中高音領域は、入浴者の上方に配置された左右の小型スピーカ８ａ、８ｂで明瞭にステレオ再生される。
【００２１】
また、音楽の低音領域は、スーパーウーハ９に供給されて再生され、この再生音は、空間１２内の振動音が正面壁７ａに設けた開口部１３から洗い場６に直接伝搬される。このカウンター７の開口部１３から直接伝搬される音波により、バスルーム１内に臨場感のある良好な低音が再生され、例えば洗い場６にいる入浴者がこの低音を直接的に体で感じながら聞くことができる。
【００２２】
さらに、カウンター７の開口部１３が壁パネル３ｃ寄りに設けられていることから、開口部１３から直接伝搬される音波が壁パネル３ｃで反射されつつバスルーム１内の全域に伝搬される状態になると共に、低音が入浴者の頭部より下方に位置する防水パン２上の洗い場６から聞こえる状態となり、例えば入浴者がバスタブ５内にいても、重量感と臨場感のある低音を聞くことができる
【００２３】
このように、上記実施例のバスルーム１の音響再生装置にあっては、低音再生用のスーパーウーハ９をカウンター７内部の空間１２に設置し、中高音再生用の小型スピーカ８ａ、８ｂを壁パネル３ｂ上部に設置しているため、スーパーウーハ９で低音を再生し、小型スピーカ８ａ、８ｂで中高音を再生することができる。特に、スーパーウーハ９を略密閉状態の空間１２内に設置していることから、空間１２を音響空間として使用できると共に、スーパーウーハ９が入浴者の頭部より下方の洗い場６（防水パン２）上に設置されていることから、音楽を再生する上で、壁パネル３ｂの小型スピーカ８ａ、８ｂでは再生することのできない重量感と臨場感のある低音が再生される。
【００２４】
また、入浴者が洗い場６やバスタブ５内にいる場合でも、入浴者により近い位置のカウンター７内に設置したスーパーウーハ９で低音を再生できるため、発生する音レベルが小さくても、聴感上十分な低音を再生することができると共に、低音の再生部（スーパーウーハ９）と入浴者の距離が近くかつ音圧レベルも低く設定できることから、音の反響が抑えられて定位が不安定になることもない。
【００２５】
さらに、低音再生用として低音を良好に再生し得るスーパーウーハ９を使用すると共に、カウンター７の正面壁７ａに空間１２内の音を直接洗い場６側に伝搬し得る開口部１３を設けているため、低音が効率的に洗い場６（バスルーム１内）側に伝搬される。これらのことから、入浴者が聴感上音楽に包み込まれる感覚を得ることができて、バスルーム１内での音楽の再生において、望ましい音響分布（音響特性）を得ることが可能になる。
【００２６】
また、スーパーウーハ９がカウンター７内の空間１２にスピーカボックス１０を介して設置されるため、バスタブ５のバスタブエプロン１６等の機械的振動の発生がなくなり、該振動の入浴者への伝達による不快感の発生を抑えることができて、快適な入浴を行うことが可能になる。
【００２７】
またさらに、小型スピーカ８ａ、８ｂやスーパーウーハ９が防水処理構造を有するため、その耐水性が向上し、蒸気や水滴が付着した場合であっても所定の機能を確実に発揮できる。また、カウンター７の正面壁７ａに設けられる開口部１３が壁パネル３ｃ寄りに形成されているため、洗い場６で体を洗う際の水しぶき等の空間１２内への浸入を極力抑えることができて、空間１２内に設置されるスーパーウーハ９への水滴等の付着が防止される。これらにより、小型スピーカ８ａ、８ｂやスーパーウーハ９の長期に亘る安定した使用が可能になる。
【００２８】
なお、以上の例においては、スーパーウーハ９をスピーカボックス１０のバッフル板１０ａに取り付け、このスピーカボックス１０を固定具１１を介して防水パン２上に固定したが、例えば図４及び図５に示すように、スーパーウーハ９をスピーカボックス１０を介することなく、壁パネル３ｂのスーパーウーハ取付孔３０を利用し、板状の固定具３１を介して（もしくは直接）壁パネル３ｂに取り付けることもできる。この構造によれば、前述したスピーカボックス１０等が不要となってスピーカ取付用の関連部材を節約できる等、スーパーウーハ９の取付構造が簡略化されてその施工の容易化を図ることができる。
【００２９】
また、上記例においては、開口部１３がカウンター７の正面壁７ａに単に穿設された長孔である場合について説明したが、例えば開口部１３を図６もしくは図７に示すように構成することもできる。すなわち、図６に示すように、カウンター７の開口部１３の後部側に筒体２１を固定し、この筒体２１でスーパーウーハ９が取り付けられたスピーカボックス１０のバッフル板１０ａの開口とカウンター７の開口部１３とを連通させる。この時、筒体２１は、バッフル板１０ａやカウンター７と別体に形成しても良いし、これらに一体成形することもできる。
【００３０】
このように形成すれば、筒体２１で低音を開口部１３に導くことができると共に、筒体２１内を音響空間として利用できて、より良好な低音が得られる。この場合においても、図７に示すように、スーパーウーハ９を固定具３１を介して壁パネル３ｂのスーパーウーハ取付孔３０に直接取り付け、このスーパーウーハ９の前面とカウンター７の開口部１３とを筒体２１で連通させることもできる。
【００３１】
また、図８に示すように、開口部１３自体を筒体１７で形成し、その先端部１７ａを空間１２内に所定寸法突出させても良い。このよう形成すれば、例えば筒体１７の先端部１７ａの位置によって、洗い場６側に伝播される低音の状態をバスルーム１の大きさ等に応じて調整でき、より効果的な低音を再生することが可能になると共に、開口部１３を介した空間１２内への水等の浸入がより抑制される。この場合においても、図９に示すように、スーパーウーハ９を固定具３１を介して、壁パネル３ｂのスーパーウーハ取付孔３０に直接取り付けることもできる。
【００３２】
図１０は、本発明に係わる音響再生装置の他の実施例を示す縦断面図である。なお、上記実施例と同一部位には同一符号を付し、その詳細な説明は省略する。この実施例の特徴は、図１の二点鎖線ｄで示すように、スーパーウーハ９をバスタブ５内の空間１８に設置した点にある。すなわち、図１０に示すように、バスタブ５の洗い場６側の壁面５ａとバスタブエプロン１６とで形成される空間１８内に、固定具１１を介してスーパーウーハ９が取り付けられたスピーカボックス１０を、例えば該空間１８内に位置する防水パン２上に固定する。
【００３３】
また、バスタブエプロン１６の図示しない壁パネル３ｄ寄りに開口部１３を形成する。このように構成しても、スーパーウーハ９で低音を再生できて、上記実施例と同様の作用効果を得ることができると共に、バスタブエプロン１６がバスタブ５に対して着脱可能であることから、スーパーウーハ９の保守、点検作業が容易に行え、かつ設置が簡単となって既存のバスルーム１にも容易に対応できるという作用効果が得られる。
【００３４】
なお、上記各実施例においては、スーパーウーハ９をスピーカボックス１０や壁パネル３ｂ等に取り付けることにより各空間内に設置したが、本発明はこれに何等限定されず、例えばスーパーウーハ９を一枚の板体に取り付けて各空間内に設置することにより、壁パネル３ｂに取り付ける場合と同様に、スーパーウーハ９の設置の簡素化を図りつつ各空間に前記スピーカボックス１０と同等の機能を持たせることもできる。これらの場合、図８及び図９の二点鎖線ｆで示すように、空間１８内を適宜の板体２０で仕切れば、該空間１８を最適容積に設定できて前記スピーカボックス１０により近い機能を持たせることが可能になる。
【００３５】
また、本発明は、スーパーウーハ９をカウンター７の正面壁７ａやバスタブエプロン１６等に直接固定する構造も包含するものであり、要は洗い場６の周囲に形成されるバスタブエプロン１６内かカウンター７内にスーパーウーハ９が設置される構造であれば良い。また、本発明は、上記した各変形例や各実施例を適宜に組み合わせることもできるし、上記各実施例における開口部１３の形状や個数も、一つの縦長の長孔に限らず、円形や横長の長孔等で形成したり開口部１３を複数設けたり、あるいは開口部１３の位置をバスタブ５やカウンター７寄りに設ける等、本発明に係わる各発明の要旨を逸脱しない範囲において適宜に変更することができる。
【００３６】
【発明の効果】
以上詳述したように、請求項１記載の発明によれば、天井パネルや壁パネルに中高音再生用のスピーカを設置し、浴室のカウンターの正面壁と上面壁及び壁パネルで形成される空間内やバスタブの洗い場側の壁面とバスタブエプロンとで形成される空間内に、該空間を音響空間として使用できるようにスーパーウーハを設置しているため、低音から高音までの音を高音質で再生することができると共に、低音が浴室の下部である洗い場側から聞こえることから、不快感のない臨場感かつ重量感のある低音が再生されて、浴室内に良好な音響特性を得ることができる。
【００３７】
また、請求項２記載の発明によれば、請求項１記載の発明の効果に加え、バスタブエプロン内またはカウンター内と洗い場とを連通する開口部が設けられているため、この開口部を介してスーパーウーハで再生される低音が洗い場内に直接伝搬され、浴室内において低音をより良好に再生することができる。
【００３８】
また、請求項３記載の発明によれば、請求項１または２記載の発明の効果に加え、スピーカ及びスーパーウーハが防水処理構造を有するため、水滴の付着や開口部から浸入する水分等に対して、防水処理構造でスピーカやスーパーウーハの耐水性を向上させることができて、これらを長期に亘り安定して使用することができる。
【００３９】
また、請求項４記載の発明によれば、請求項１ないし３記載の発明の効果に加え、開口部がバスタブエプロンかカウンターの浴室の壁パネル寄りに設けられるため、開口部から伝搬される低音を例えば壁パネルで反射させることができて、浴室内により臨場感のある低音が得られると共に、洗い場で使用される水の開口部を介した空間内への浸入が抑制されて、例えばスーパーウーハへの水の付着を防止することができる。
【００４０】
また、請求項５記載の発明によれば、請求項１ないし４記載の発明の効果に加え、スーパーウーハが浴室の壁パネルに取り付けられるため、スピーカ取付用の関連部材を節約できる等、取付構造が簡略化されて施工の容易化を図ることができる等の効果を奏する。
【図面の簡単な説明】
【図１】本発明に係わる音響再生装置を使用したユニットバスルームの内部の概略斜視図
【図２】同その要部を拡大した横断面図
【図３】同その縦断面図
【図４】同スーパーウーハ取付構造の変形例を示す図２と同様の横断面図
【図５】同その図３と同様の縦断面図
【図６】同スーパーウーハ取付構造の他の変形例を示す図３と同様の縦断面図
【図７】同スーパーウーハ取付構造のさらに他の変形例を示す図３と同様の縦断面図
【図８】同開口部の変形例を示す図２と同様の横断面図
【図９】同開口部の他の変形例を示す図２と同様の横断面図
【図１０】本発明に係わる音響再生装置の他の実施例を示す要部の縦断面図
【符号の説明】
１・・・・・・・・ユニットバスルーム
３ａ〜３ｄ・・・・壁パネル
４・・・・・・・・天井パネル
５・・・・・・・・バスタブ
５ａ・・・・・・・壁面
６・・・・・・・・洗い場
７・・・・・・・・カウンター
７ａ・・・・・・・正面壁
７ｂ・・・・・・・上面壁
８ａ、８ｂ・・・・小型スピーカ
９・・・・・・・・スーパーウーハ
１０・・・・・・・スピーカボックス
１０ａ・・・・・・バッフル板
１１・・・・・・・固定具
１２・・・・・・・空間
１３・・・・・・・開口部
１４・・・・・・・アンプ
１６・・・・・・・バスタブエプロン
１７・・・・・・・筒体
１８、１９・・・・空間
２１・・・・・・・筒体
３０・・・・・・・スーパーウーハ取付孔
３１・・・・・・・固定具
【図１】
0003550555.tif 000002
【図２】
0003550555.tif 000003
【図３】
0003550555.tif 000004
【図４】
0003550555.tif 000005
【図５】
0003550555.tif 000006
【図６】
0003550555.tif 000007
【図７】
0003550555.tif 000008
【図８】
0003550555.tif 000009
【図９】
0003550555.tif 000010
【図１０】
0003550555.tif 000011